(57)【要約】      （修正有）【課題】枠体から背板の着脱を容易かつ安全に行うことができるとともに、より生産性の高い額縁を提供することを目的とする。【解決手段】額縁は、枠体１０と、枠体の内側に嵌め込まれる背板３０とを備え、枠体の内側側面に背板の側面と係合する面ファスナーが設けられている。また額縁は、一対の吊具４０を備え、吊具は、紐通し用の孔部４２と、背板の側面に着脱自在に取り付けられる挟持部４１と、枠体の内側側面と係合する面ファスナー３６とを有する。【選択図】図５
0003226251.tif 000002
【実用新案登録請求の範囲】
【請求項１】
枠体と、前記枠体の内側に嵌め込まれる背板とを備え、
前記枠体の内側側面に前記背板の側面と係合する面ファスナーが設けられている額縁。
【請求項２】
前記背板の前記側面に面ファスナーがさらに設けられている、請求項１に記載の額縁。
【請求項３】
前記面ファスナーはフック面を有し、前記背板の前記側面は段ボールの端面である、請求項１に記載の額縁。
【請求項４】
一対の吊具をさらに備え、前記吊具は、紐通し用の孔部と、前記背板の側面に着脱自在に取り付けられる挟持部とを有する、請求項１ないし請求項３のいずれか一項に記載の額縁。
【請求項５】
枠体と、前記枠体の内側に嵌め込まれる背板と、一対の吊具と、を備え、
前記吊具は、紐通し用の孔部と、前記背板の側面に着脱自在に取り付けられる挟持部と、前記枠体の内側側面と係合する面ファスナーとを有する、額縁。
【請求項６】
前記背板の背面に固定又は着脱自在に取り付けられるスタンドをさらに備え、
前記スタンドは、複数の板状体が互いに屈曲自在に接続されてなり、当該複数の板状体が互いに角度をもって屈曲した形態と、当該複数の板状体が同一面上に延びた形態とに変形自在に構成されている、請求項１ないし請求項５のいずれか一項に記載の額縁。
【考案の詳細な説明】
【技術分野】
【０００１】
本考案は、額縁に関するものである。
【背景技術】
【０００２】
従来、額縁の枠体に背板を係止するためには、慣用的に「トンボ」などと称される金属又は樹脂製の回転式の係止具が用いられている。このような係止具は額縁の枠体に回転自在に複数個取り付けられ、各々の係止具を９０度回転させて開放位置（係止具の先端が額縁の枠体に当接する位置）から係止位置（係止具の先端が背板に当接する位置）まで移動させ、背板を枠体に固定するようになっている（特許文献１参照）。
【先行技術文献】
【特許文献】
【０００３】
【特許文献１】実用新案登録第３１７９７０４号公報
【考案の概要】
【考案が解決しようとする課題】
【０００４】
しかし、上述の額縁を使用する際は、使用者は、額縁の枠体から背板を着脱する度に、複数の係止具（トンボ）を指先や爪等で一つ一つ回転させる必要があり、着脱動作が煩雑な上、場合によっては、指先や爪に怪我をしたり、特に女性の場合はネイルが剥がれてしまったりする等のおそれがあった。
【０００５】
また、上述の額縁を製造する際は、複数の係止具（トンボ）を額縁の枠体に一つ一つ専用の工具で取り付ける必要がある上、組み立ての際は上述の煩雑な着脱動作により背板を枠体に取り付ける必要があり、作業工程が多く生産性が悪いという問題があった。
【０００６】
本考案は、かかる点に鑑みてなされたものであり、枠体から背板の着脱を容易かつ安全に行うことができるとともに、より生産性の高い額縁を提供することを目的とする。
【課題を解決するための手段】
【０００７】
本考案の一態様に係る額縁は、枠体と、枠体の内側に嵌め込まれる背板とを備え、枠体の内側側面に背板の側面と係合する面ファスナーが設けられている。
【０００８】
この態様によれば、背板を枠体の内側に嵌め込めば、枠体内側の側面に設けた面ファスナーが背板の側面に係合し、背板が枠体へ固定される。この係合を解除するには、背板を枠体から引っ張るか押し出せばよい。よって、額縁の枠体への背板の着脱を容易かつ迅速に行うことができる。着脱に際して係止具（トンボ）を指先や爪で操作する必要がないので、操作上の安全性も高い。
【０００９】
額縁の製造に際しても、面ファスナーを枠体に取り付ける作業は、枠体に係止具（トンボ）を一つ一つ専用の工具で取り付ける従来の作業に比べて格段に容易である。また背板を枠体へ取り付けて出荷する場合であっても、額縁の枠体へ背板を嵌め込むだけで取り付け作業は完了する。よって、額縁製造にかかる作業工程を簡略化でき、生産性を高めることができる。
【００１０】
上記態様において、背板の側面に面ファスナーが設けられているようにしてもよい。
【００１１】
この態様によれば、枠体内側の側面と背板の側面とにそれぞれ設けた面ファスナーどうしが接合するので、背板と枠体とをより確実に固定することができる。また背板を枠体の内側に嵌め込むだけで面ファスナーどうしが接合されるので、面ファスナーどうしの位置合わせをする必要がない。よって、背板の取り付けを迅速に行うことができる。
【００１２】
上記態様において、面ファスナーはフック面を有し、背板の側面は段ボールの端面であるようにしてもよい。
【００１３】
この態様によれば、枠体の内側に背板を嵌め込むと、枠体内側の側面に設けた面ファスナーのフックが、背板の側面である段ボール端面の空隙に入り込むので、背板に面ファスナーを設けずとも、背板と枠体とを係合させることができる。また背板を枠体の内側に嵌め込むだけで面ファスナーと背板の側面（段ボール端面）どうしが係合されるので、面ファスナーの位置合わせが不要である。よって、背板の取り付けを迅速に行うことができる。
【００１４】
上記態様において、一対の吊具をさらに備え、吊具は、紐通し用の孔部と、背板の側面に着脱自在に取り付けられる挟持部とを有するようにしてもよい。
【００１５】
この態様によれば、一対の吊具は挟持部により背板の側面に着脱自在に取り付けられるので、紐通し用の孔部の位置を所望の位置に設定・変更することができる。これにより、額縁を所望の向き（上下左右の入れ替えや傾きの調整を含む）や位置で吊り下げることができ、またその変更も容易に行うことができる。
【００１６】
本考案の他の態様による額縁は、枠体と、枠体の内側に嵌め込まれる背板と、一対の吊具と、を備え、吊具は、紐通し用の孔部と、背板の側面に着脱自在に取り付けられる挟持部と、枠体の内側側面と係合する面ファスナーとを有する。
【００１７】
この態様によれば、背板の側面に一対の吊具を取り付け、この背板を枠体の内側に嵌め込めば、吊具に設けた面ファスナーが枠体の内側側面に係合し、背板が枠体に固定される。この係合を解除するには、背板を枠体から引っ張るか押し出せばよい。よって、額縁の枠体への背板の着脱を容易かつ迅速に行うことができる。着脱に際して係止具（トンボ）を指先や爪で操作する必要がないので、操作上の安全性も高い。
【００１８】
一対の吊具は挟持部により背板の側面に着脱自在に取り付けられるので、紐通し用の孔部の位置を所望の位置に設定・変更することができる。これにより、額縁を所望の向き（上下左右の入れ替えや傾きの調整を含む）や位置で吊り下げることができ、またその変更も容易に行うことができる。
【００１９】
額縁の製造に際しても、面ファスナーを吊具に取り付ける作業は、枠体に係止具（トンボ）を一つ一つ専用の工具で取り付ける従来の作業に比べて格段に容易である。また背板を枠体へ取り付けて出荷する場合であっても、一対の吊具を取り付けた背板を枠体に嵌め込むだけで取り付け作業が完了する。よって、額縁製造にかかる作業工程を簡略化でき、その生産性を高めることができる。
【００２０】
上記態様において、背板の背面に固定又は着脱自在に取り付けられるスタンドをさらに備え、スタンドは、複数の板状体が互いに屈曲自在に接続されてなり、複数の板状体が互いに角度をもって屈曲した形態と、複数の板状体が同一面上に延びた形態とに変形自在に構成されているようにしてもよい。
【００２１】
この態様によれば、スタンドを使用する際は、複数の板状体を互いに屈曲させ、これにより生じる板状体と板状体との間の屈曲箇所を設置点として、額縁（背板）を支持することができる。スタンドを使用しない際は、複数の板状体を同一面上に延ばせば全体として一枚の板体になるので、スタンドを背板の背面に合わせてコンパクトに収容することができる。
【考案の効果】
【００２２】
本考案によれば、枠体から背板の着脱を容易かつ安全に行うことができるとともに、より生産性の高い額縁を提供することができる。
【図面の簡単な説明】
【００２３】
【図１】実施の形態に係る額縁を説明するための分解斜視図である。
【図２】同額縁の枠体を背面から見た図である。
【図３】同額縁の背板を背面から見た図である。
【図４】同額縁の背板の着脱方法を説明するための図である。
【図５】同額縁に取り付ける吊り下げ用の吊具を説明するための図である。
【図６】同額縁に取り付けるスタンドを説明するための図である。
【図７】（Ａ）及び（Ｂ）は変形例に係る額縁を説明するための図である。
【図８】変形例に係る吊具を説明するための図である。
【図９】変形例に係るスタンドを説明するための図である。
【図１０】（Ａ）は変形例に係る額縁の分解斜視図、（Ｂ）は同額縁の断面図である。
【考案を実施するための形態】
【００２４】
添付図面を参照して、本考案の好適な実施形態について以下説明する。なお、同一の要素には同一の符号を付し、重複する説明を省略する。さらに、図面の寸法比率は、図示の比率に限定されるものではない。また、以下の実施の形態は、本考案を説明するための例示であり、本考案はこの実施の形態に限定されるものではない。
【００２５】
（額縁の構成）はじめに、図１ないし図３を用いて、額縁１の全体及び各部の構成を説明する。図１に示すように、額縁１は、枠体１０、透明板２０、背板３０を備える。額縁１は、枠体１０の内側に、透明板２０、収容物Ｐ（例えば、写真、絵画、ポスター等であるがこれに限られない）、背板３０がこの順で嵌め込まれ、収容物Ｐを透明板２０と背板３０との間に挟みこむようにして固定するようになっている。なお、本明細書において、図１の額縁１を基準としてｘ、ｙ、ｚ方向をそれぞれ「幅」（左右）、「厚み」（前後）、「高さ」（上下）とし、額縁１を厚み方向前側からみた面を「正面」、後側から見た面を「背面」とする。
【００２６】
枠体１０は、図１に示すように、透明板２０，収容物Ｐ、背板３０を収容し支える骨組みである。枠体１０は、例えば、木材、樹脂、厚紙、金属等で形成されている。
【００２７】
図２に示すように、枠体１０は、上下左右の４つ枠１１〜１４と各枠１１〜１４の正面側の端部から内側に向かって延出する前縁１５とから構成されている。枠体１０は、枠１１〜１４で囲まれる空間内に透明板２０，収容物Ｐ、背板３０を収容するとともに、前縁１５によって透明板２０の前方（正面方向）への移動を規制するようになっている。
【００２８】
枠１１〜１４の内側側面の略中央部には、長方形状の面ファスナー１６が例えば接着剤や熱融着等によりそれぞれ固定されている。面ファスナー１６としては、ここではフック面（細かいカギ状のフックが密集した面）が用いられている。
【００２９】
面ファスナー１６は、例えば、各枠１１〜１４の１／５〜１／３程度の面積を有する。面ファスナー１６は、４つの枠１１〜１４の全ての設けなくともよく、例えば、上下の枠１１，１２のみ、又は、左右の枠１３、１４のみに設ける等してもよい。
【００３０】
透明板２０は、図１に示すように、枠体１０の内部に嵌め込まれ、収容物Ｐを背板３０とともに挟み込んで固定するとともに、収容物Ｐの正面を保護する。透明板２０は、長方形の板状体であり、樹脂（アクリルやＰＥＴ等）やガラス等の光透過性の材料で形成されている。透明板２０の幅及び高さは、枠体１０の各枠１１〜１４で形成される開口より小さく、かつ前縁１５により形成される空間より大きい。なお、収容物Ｐによっては、透明板２０を用いない（すなわち、枠体１０の前縁１５と背板３０とで収容物Ｐを挟み込む）ことも可能である。
【００３１】
背板３０は、図１に示すように、枠体１０の内部に嵌め込まれ、収容物Ｐを透明板２０とともに挟み込んで固定するとともに、収容物Ｐの背面を保護する。背板３０は例えば、厚紙、樹脂、ＭＤＦ等で形成されている。背板３０は、板状であり、その幅及び高さは、枠体１０にはめ込んだ状態で、枠体１０の各枠１１〜１４との間に若干の隙間（例えば爪又は指先が挿入できる程度の隙間）ができるように設定されている。
【００３２】
図１及び図３に示すように、背板３０の上下左右の４つの側面３１〜３４の略中央部（枠１１〜１４において面ファスナー１６が設けられた部分（図２参照）にそれぞれ対向する部分）には、長方形状の面ファスナー３６が例えば接着剤や熱融着等によりそれぞれ固定されている。面ファスナー３６としては、ここではループ面（細かいループが密集した面）が用いられている。
【００３３】
面ファスナー３６は、例えば、各側面３１〜３４の１／５〜１／３程度の面積を有する。面ファスナー１６を上下左右の枠１１〜１４のいずれか（例えば２つ）に設ける場合は、面ファスナー１６を設けた枠に対向する側面のみに面ファスナー３６を設ければよい。
【００３４】
図３に示すように背板３０の背面３５の幅方向中央にはその上端から下端に沿って帯状の面ファスナー３７（例えばループ面）が連続的に取り付けられている。面ファスナー３７は、額縁１を支持するためのスタンドが着脱可能である（詳細は後述する）。
【００３５】
（背板の着脱方法）次に図４を用いて枠体１０への背板３０の着脱方法を説明する。図４は、枠体１０の内側に透明板２０及び収容物Ｐをはめ込んだ状態で、額縁１を高さ方向中央で厚み方向に切断した様子（図１のＡ−Ａ’線に沿う断面）を示している。
【００３６】
この状態で背板３０を正面方向に押しながら枠体１０の内側に嵌め込むと、枠体１０の上下左右の枠１１〜１４に設けた面ファスナー１６（フック面）が、背板３０の上下左右の側面３１〜３４に設けた面ファスナー３６（例えばループ面）に接合し、背板３０が枠体１０に固定される。これにより、収容物Ｐを透明板２０と背板３０とで挟み込んだ状態を維持することができる（すなわち収容物Ｐを額縁１に固定することができる）。
【００３７】
枠体１０から背板３０を取り外す際は、背板３０と枠体１０との隙間に指先や爪等を差し込んで背板３０を背面方向に引っ張る、または、透明板２０を背面方向に押して収容物Ｐとともに背板３０を背面方向に押し出す。これにより、面ファスナー１６、３６どうしの係合が解除されるので、背板３０を枠体１０から取り外すことができる。
【００３８】
このように、背板３０を枠体１０の内側に嵌め込むだけで、面ファスナー１６、３６どうしが（両者の位置合わせをすることもなく）接合でき、またこの接合は背板３０を背面方向に引っ張るか押し出すだけで解除できるので、枠体１０への背板３０の着脱を容易かつ迅速に行うことができる。
【００３９】
また背板３０の着脱に際し、従来の額縁のように係止具等を指先や爪で操作する必要がないので、操作上の安全性も高い。この点は、額縁１を製造する際の利点にもなる。すなわち、額縁１の製造に際しても、面ファスナー１６や面ファスナー３６を枠体１０や背板３０に取り付ける作業は、枠体に係止具（トンボ）を一つ一つ専用の工具で取り付ける従来の作業に比べて格段に容易である。また背板３０を枠体１０へ取り付けて出荷する場合であっても、枠体１０へ背板３０を嵌め込むだけで取り付け作業は完了する。よって、額縁１の製造にかかる作業工程を簡略化でき、その生産性を高めることができる。
【００４０】
（額縁の吊り下げ）次に、図５を用いて額縁１を吊り下げるための一対の吊具４０について説明する。吊具４０は、背板３０に着脱自在に取り付け可能な挟持部４１と、紐通し用の孔部４２とを有する。挟持部４１は、背板３０の側面３１〜３４に嵌め込み可能なコの字状の断面を有し、押圧により変形して背板３０を挟持するようになっている。挟持部４１は、逆方向に押圧すれば再度変形し、背板３０から取り外すことができる。孔部４２は、紐通し用の孔が設けられたタブ状であり、挟持部４１の略中央に折り曲げ自在に接続されている。吊具４０は、例えば、金属又は樹脂製である。
【００４１】
一対の吊具４０は、それぞれ背板３０の側面３１〜３４の任意の位置に取り付け可能である。例えば、図５は、吊具４０の挟持部４１により、背板３０の左右の側面３３、３４の上方（面ファスナー３６の上方）を挟持する様子を示している。ここで、孔部４２は、紐通し用の孔に紐やワイヤを通しやすいように、額縁１の背面方向に折り曲げられている。
【００４２】
一対の吊具４０は挟持部４１により背板３０の側面３１〜３４の任意の箇所に着脱自在に取り付けることができるので、紐通し用の孔部４２の位置を所望の位置に設定・変更することができる。これにより、額縁１を所望の向き（上下左右の入れ替えや傾きの調整を含む）や位置で吊り下げることができ、またその変更も容易に行うことができる。
【００４３】
（額縁の立て掛け）次に、図６を用いて額縁１を立てかけるためのスタンド５０について説明する。スタンド５０は、複数の板状体が互いに屈曲自在に接続されており、複数の板状体が互いに角度をもって屈曲した形態と、複数の板状体が同一面上に延びた形態とに変形自在に構成されている。具体的には、固定部５１（板状体）と、固定部５１の上端５１ａに第１の屈曲部５２を介して接続された第１の接続部５３（板状体）と、第１の接続部５３の固定部５１と反対側の先端５３ａに第２の屈曲部５４を介して接続された第２の接続部５５（板状体）と、第２の接続部５５の上端５５ａに第３の屈曲部５６を介して接続された支持部５７（板状体）とを有している。固定部５１と、支持部５７の正面（背板３０の背面３５に対向する面）の幅方向中央には、面ファスナー５８、５９（例えばフック面）が取り付けられている。
【００４４】
図６に示すように、スタンド５０の使用時は、面ファスナー３７及び５８を用いてスタンド５０の固定部５１を背板３０の背面３５の下端３５ａに接着させ、面ファスナー３７及び５９を用いて支持部５７を背板３０の背面３５の所望の位置に接着させる。これにより、第１の接続部５３及び第２の接続部５５が第１の屈曲部５２及び第３の屈曲部５６において背板３０の背面３５から離れる方向に屈曲し、第２の屈曲部５４に接地点Ｑが形成される。
【００４５】
これにより、スタンド５０は、額縁１（背板３０）を起立姿勢で支持する。支持部５７の接着位置を上下方向に変更させれば、額縁１（背板３０）の起立姿勢の傾斜角度を変更することができる。スタンド５０を使用しない場合は、スタンド５０を背板３０から取り外してもよいが、支持部５７を背板３０の上端３５ｂに接着させるようにしてもよい。この場合、スタンド５０は、固定部５１、第１の接続部５３、第２の接続部５５及び支持部５７が同一面上に延びて背板３０と同様の大きさの平板状になるので、スタンド５０を額縁１に取り付けたままでコンパクトに収容可能である。
【００４６】
なお、スタンド５０の固定部５１と背板３０の下端３５ａとに面ファスナーを設けず、固定部５１を背板３０の下端３５ａに接着剤等で固定して、背板３０とスタンド５０とを一体化して用いるようにしてもよい。
【００４７】
（変形例）以上の具体例は、本考案を説明するための例示であり、本考案をその実施形態のみに限定する趣旨ではない。すなわち、これら具体例に、当業者が適宜設計変更を加えたものも、本考案の特徴を備えている限り、本考案の範囲に包含される。
【００４８】
背板の全部又は一部を段ボールで形成してもよい。例えば、図７（Ａ）は、段ボールからなる背板３０Ａを示している。また図７（Ｂ）は、第１層３０１と第２層３０２から構成される背板３０Ｂを示しており、ここで第１層は、段ボールであり、第２層は、例えば、厚紙、樹脂、ＭＤＦである（スタンドを背板と一体化している場合はスタンドでもよい）。図７（Ａ）（Ｂ）は、図４と同様に、枠体１０の内側に透明板２０及び収容物Ｐをはめ込んだ状態で、額縁を高さ方向中央で厚み方向に切断した様子（図１のＡ−Ａ’線に沿う断面）を示している。
【００４９】
図７（Ａ）（Ｂ）で示す変形例においては、背板３０Ａ、３０Ｂの側面に面ファスナーが取り付けられていない。しかし、背板３０Ａ、３０Ｂの側面は、段ボールの端面を含むので空隙が存在し、この空隙が面ファスナー（ループ面）のかわりになる。すなわち、背板３０Ａ、３０Ｂを枠体１０にはめ込むと、枠体１０の面ファスナー１６の多数のフックが、段ボール端面の空隙にそれぞれ入り込むので、これにより、背板３０Ａ、３０Ｂを枠体１０に係合（固定）させることができる。面ファスナー１６と背板３０Ａ、３０Ｂの側面である段ボール端面との位置合わせを行う必要はないので、背板３０Ａ、３０Ｂの取り付けを迅速かつ容易に行うことができる。また背板３０Ａ、３０Ｂに面ファスナーを設けなくてもよい分、材料コストを削減し、製造工程をより簡略化できる。
【００５０】
吊具に面ファスナーを設けてもよい。例えば、図８は吊具４０Ａの挟持部４１の基部（取り付けた際に枠体１０Ａの内側側面と対向する面）に面ファスナー４３（フック面が好ましい）を設けた例を示している。この場合、背板３０の側面に吊具４０Ａを取り付け、この背板３０を枠体１０Ａの内側に嵌め込めば、吊具４０Ａに設けた面ファスナー４３が枠体１０Ａの内側側面に係合し、背板３０を枠体に固定できる。この係合を解除するには、背板３０を枠体１０Ａから引っ張るか押し出せばよい。
【００５１】
図８で示す変形例においては、枠体１０Ａの内側側面に面ファスナーは設けられていない。しかし、特に枠体１０Ａが小型軽量である場合には、吊具４０Ａの面ファスナー４３のみで（枠体１０Ａと背板３０との隙間に押し込まれた面ファスナー４３の復元力により）枠体１０Ａと背板３０との係合を十分維持することが可能である。吊具４０Ａを背板３０の所望の位置に取り付けさえすれば、枠体１０Ａと背板３０を取り付ける際に、面ファスナー４３と枠体１０Ａとの位置合わせを行う必要はないので、背板３０の取り付けを迅速かつ容易に行うことができる。また枠体１０Ａや背板３０に面ファスナーを設けなくてもよい分、材料コストを削減し、製造工程をより簡略化できる。なお、吊具４０Ａと枠体１０Ａとの係合をより強固にするために枠体１０Ａの内側側面に面ファスナーを設けてもよい。
【００５２】
スタンドを背板に取り付ける手段を変更してもよい。例えば、図９は、背板３０Ｃ（または少なくとも背面３５Ｃ）を金属で形成するとともに、スタンド５０Ａの支持部５７の幅方向中央に磁石５９Ａを取り付けることで、スタンド５０Ａの支持部５７Ａを背板３０Ｃの背面３５Ｃに着脱自在とした例を示す。スタンド５０Ａの固定部５１Ａと背板３０Ｃの背面３５Ｃの取り付けも同様に磁石によるものとしてもよい（上述のとおり、固定部５１Ａを接着剤等で背面３５Ｃに固定して、スタンド５０Ａと背板３０Ｃとを一体化して用いてもよい）。
【００５３】
額縁を例えば図１０に示すような自立式（スタンド等の支えなしに起立するもの）としてもよい。ここで図１０（Ａ）は、自立式の額縁１Ｂの分解斜視図であり、同（Ｂ）は、Ｂ−Ｂ’断面図である（なお、いずれの図においても収容物Ｐは図示を省略している）。この変形例では、スタンド等がなくとも額縁１Ｂが自立することができるように、枠体１０Ｂの厚みが十分大きく設定されている。この変形例では、枠体１０Ｂの厚みを有効利用するために、枠体１０Ｂに同程度の厚みの箱体６０をさらに嵌め込み、背板３０と箱体６０との間で収容空間Ｒを形成するようにしている。
【００５４】
上述した各具体例が備える各要素およびその配置、材料、形状、サイズなどは、例示したものに限定されるわけではなく適宜変更することができる。例えば、額縁を構成する枠体等の形状は、長方形に限られるものではなく、正方形、多角形、円形等種々の形状にすることができる。
【符号の説明】
【００５５】
１、１Ａ…額縁、
１０、１０Ａ、１０Ｂ…枠体、１１〜１４…枠、１５…前縁、１６…面ファスナー
２０…透明板
３０、３０Ａ、３０Ｂ、３０Ｃ…背板、３１〜３４…側面、３５…背面、３５ａ…下端、３５ｂ…上端、３６…面ファスナー、３７…面ファスナー、３０１…第１層、３０２…第２層
４０、４０Ａ…吊具、４１…挟持部、４２…孔部、４３…面ファスナー
５０、５０Ａ…スタンド、５１、５１Ａ…固定部、５１ａ…上端、５２…第１の屈曲部、５３…第１の接続部、５３ａ…先端、５４…第２の屈曲部、５５…第２の接続部、５５ａ…上端、５６…第３の屈曲部、５７、５７Ａ…支持部、５８、５９…面ファスナー、５９Ａ…磁石
６０…箱体
Ｐ…収容物、Ｑ…接地点、Ｒ…収容空間
【図１】
0003226251.tif 000003
【図２】
0003226251.tif 000004
【図３】
0003226251.tif 000005
【図４】
0003226251.tif 000006
【図５】
0003226251.tif 000007
【図６】
0003226251.tif 000008
【図７】
0003226251.tif 000009
【図８】
0003226251.tif 000010
【図９】
0003226251.tif 000011
【図１０】
0003226251.tif 000012